【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
底部（３，５３）と、側壁（４，５４）と、前記底部（３，５３）の反対側の端部（５）と、前記開いた端部（５）の周囲に前記側壁（４，５４）から外向きに延びるフランジ（６）とを有する、カプセル本体（２，５２）と、
前記外向きに延びるフランジ（６）に取り付けられ、前記カプセル本体（２，５２）の前記底部（３，５３）の反対側の前記端部部（５）を閉鎖しているカバー（７，５７）と、
を備えているカプセル（１，５１）であって、
前記カプセル本体（２，５２）及び前記カバー（７，５７）が、カプセルチャンバ（８）を画定し、前記カプセルチャンバが、
多量の固まっていない固体粒子から構成される物質（９，５９）であって、前記カプセル内に加圧下で流体を供給することによる前記物質（９，５９）の抽出及び／又は溶解による飲用飲料の調製のための物質（９，５９）、並びに、
前記粒子の主要部分に対して不透過性の材料のスクリーン（１０，６０，１１０，１６０，２１０）であって、前記物質（９，５９）と前記底部（３，５３）との間に位置決めされ前記カプセル本体（２，５２）に取り付けられたスクリーン（１０，６０，１１０，１６０，２１０）、を収容する、カプセル（１，５１）において、
前記スクリーン（１０，６０，１１０，１６０，２１０）が、煎出中に前記カプセル本体（２，５２）から解放されるように前記カプセル本体（２，５２）に取り付けられており、且つ液体が圧力下で前記カプセル（１，５１）に注入されるにつれて、前記スクリーン（１０，６０，１１０，１６０，２１０）が、前記カプセル本体（２，５２）の前記底部（３，５３）から遠ざかるようにすることができることを特徴とする、カプセル（１，５１）。
【請求項２】
前記スクリーン（１０，６０，１１０，１６０，２１０）が、少なくとも１つの取り付け部によって取り付けられており、前記取り付け部が、煎出中に引き剥がされるように配置されている、請求項１に記載のカプセル（１，５１）。
【請求項３】
前記取り付け部が、径方向に細長く前記カプセル（１，５１）の中心軸線（１１）から径方向に間隔を空けた最内端を有する、少なくとも１つの取り付けゾーン（１２，６２，１１１２，１６２，２１２）を構成している、請求項２に記載のカプセル（１，５１）。
【請求項４】
前記取り付けゾーン（１２，６２，１１１２，１６２，２１２）の内端の部分が、前記内端における鋭い先端まで内向きに減少する幅を有する、請求項３に記載のカプセル（１，５１）。
【請求項５】
前記スクリーン（１０，６０，１１０，１６０，２１０）が煎出中に前記カプセル本体（２，５２）から完全に解放されるように、前記スクリーン（１０，６０，１１０，１６０，２１０）が前記カプセル本体（２，５２）に取り付けられている、請求項１〜４のいずれか一項に記載のカプセル（１，５１）。
【請求項６】
前記スクリーン（１０，６０，１１０，１６０，２１０）が、前記物質（９，５９）の少なくとも一小部分が固体形態で通過できるように寸法設定された複数の通路（２３，７３，１７３，１７４，１７５，２２３）を備えている、請求項１〜５のいずれか一項に記載のカプセル（１，５１）。
【請求項７】
前記スクリーン（１０，６０，１１０，１６０，２１０）が、中心から間隔が空けられ互いに円周方向に間隔が空けられた取り付けゾーン（１２，６２，１１１２，１６２，２１２）に沿って前記カプセル本体（２，５２）に取り付けられている、請求項１〜６のいずれか一項に記載のカプセル（１，５１）。
【請求項８】
前記取り付けゾーン（１２，６２，１１１２，１６２，２１２）の全てが、前記スクリーン（１０，６０，１１０，１６０，２１０）の周縁に沿って接近して、好ましくは均等に分配されている、請求項７に記載のカプセル（１，５１）。
【請求項９】
前記スクリーン（１０，６０，１１０，１６０，２１０）が、内側表面領域と、前記内側表面領域を取り囲む外側表面領域とを含む表面領域を有し、前記内側表面領域が、前記スクリーン（１０，６０，１１０，１６０，２１０）の全表面領域の少なくとも２５％を形成しており、前記内側表面領域内の前記通路（２３，７３，１７３，１７４，１７５，２２３）の内側部分が、前記内側表面領域の第１の割合の開放表面領域を提供しており、前記外側表面領域内の前記通路（２３，７３，１７３，１７４，１７５，２２３）の外側部分が、前記外側表面領域の第２の割合の開放表面領域を提供しており、前記第２の割合は、前記第１の割合よりも大きい、請求項６に記載のカプセル（１，５１）。
【請求項１０】
前記内側表面領域が、前記通路（２３，７３，１７３，１７４，１７５，２２３）を含まない、請求項９に記載のカプセル（１，５１）。
【請求項１１】
前記内側表面領域が、円形境界を有し、前記スクリーン（１０，６０，１１０，１６０，２１０）の中心が、前記内側表面領域の中心を形成している、請求項９に記載のカプセル（１，５１）。
【請求項１２】
前記カプセル本体（２，５２）が、前記底部（３，５３）側よりも前記カバー（７，５７）側で大きい、前記カバー（７，５７）に平行な平面に沿った内部断面積を有し、好ましくは、肩部が、前記カプセル本体（２，５２）の側壁に設けられており、前記内部断面積が、前記肩部の底部側よりも前記肩部のカバー側で大きい、請求項１〜１１のいずれか一項に記載のカプセル（１，５１）。
【請求項１３】
前記スクリーン（１０，６０，１１０，１６０，２１０）が、透水性材料からなる、請求項１〜１２のいずれか一項に記載のカプセル（１，５１）。
【請求項１４】
前記スクリーン（１０，６０，１１０，１６０，２１０）を前記カプセル（１，５１）に取り付けている前記取り付けゾーン（１２，６２，１１１２，１６２，２１２）の全てが、前記中心から間隔が空けられ、互いに円周方向に間隔が空けられている、請求項１〜１３のいずれか一項に記載のカプセル（１，５１）。
【請求項１５】
前記スクリーン（１０，６０，１１０，１６０，２１０）が、前記底部（３，５３）の中央領域に取り付けられていない、請求項１〜１４のいずれか一項に記載のカプセル（１，５１）。
【請求項１６】
前記スクリーン（１０，６０，１１０，１６０，２１０）が、使用中に前記カプセル（１，５１）内に流体を注入するために前記カプセル（１，５１）の前記底部（３，５３）に開口部を穿孔する穿孔要素（１３）の影響下で、及び／又は、前記カプセル（１，５１）がコーヒー煎出のために位置決めされたコーヒーマシンによって形成された前記底部（３，５３）の開口部を通って注入される流体の影響下で、前記底部（３，５３）の前記中央領域から遠ざかるように移動するように配置されている、請求項１〜１５のいずれか一項に記載のカプセル（１，５１）。
【請求項１７】
前記スクリーン（１０，６０，１１０，１６０，２１０）が、前記カプセル本体（２，５２）の前記底部（３，５３）の実質的に前記内側表面領域の全体を覆っている、請求項１〜１６のいずれか一項に記載のカプセル（１，５１）。
【請求項１８】
請求項１〜１７のいずれか一項に記載のカプセル（１，５１）と、コーヒーマシンと、を備え、
前記コーヒーマシンが、
カプセル本体（２，５２）の主要部分を受け入れることができるハウジング（１４）と、
調製飲料が前記カプセル（１，５１）から流出することを可能にするための通路（２３，７３，１７３，１７４，１７５，２２３）を有する閉鎖部材（１５）であって、前記ハウジング（１４）及び／又は前記閉鎖部材（１５）が、前記カプセル（１，５１）のフランジ（６）が前記ハウジング（１４）と前記閉鎖部材（１５）との間にクランプされている動作位置と、使用済みカプセル（１，５１）をそこを通して前記ハウジング（１４）から取り外すことができ新しいカプセル（１，５１）をそこを通して前記ハウジング（１４）内に位置決めすることができる開口部を残した移送位置との間で、他方に対して移動可能である、閉鎖部材（１５）と、
使用時に、少なくとも１つの穿孔位置において前記ハウジング（１４）内部の前記カプセル本体（２，５２）の底部（３，５３）部分を穿孔するように配置された穿孔要素（１３）と、
前記穿孔位置に水を供給し、前記穿孔された底部（３，５３）を介して前記水を前記カプセル（１，５１）に入れるための水供給部と、を有する、
システム。
【請求項１９】
前記カプセル（１，５１）が、請求項６〜１１のいずれか一項に記載のカプセル（１，５１）であり、
前記通路（２３，７３，１７３，１７４，１７５，２２３）のうちの少なくともいくつかが、前記少なくとも１つの穿孔位置の周辺に位置する、請求項１８に記載のシステム。
【請求項２０】
カプセル（１，５１）をハウジング（１４）内に位置決めし、前記ハウジング（１４）と、カバー（７，５７）を通って出力された煎出飲料が前記カプセル（１，５１）から流出することを可能にするための貫通孔を有する閉鎖部材（１５）との間にクランプすることと、
熱水などの加圧注入流体を前記ハウジング（１４）内に送り込み、前記注入流体を前記底部（３，５３）の少なくとも１つの孔を通して前記カプセルに貫入させることと、
前記加圧注入流体が、スクリーン（１０，６０，１１０，１６０，２１０）を前記カプセル本体（２，５２）から解放し、前記カプセル本体（２，５２）の前記底部（３，５３）から少なくとも部分的に離れるように移動させることと、
好ましくは前記カプセル（１，５１）内の流体圧力の影響下で、前記カバー（７，５７）が裂かれることと、
煎出飲料が前記カプセル（１，５１）から出るように、注入流体の流れを、少なくとも部分的に前記スクリーン（１０，６０，１１０，１６０，２１０）を通して、物質（９，５９）を貫通して前記カバー（７，５７）を通り抜けるように押圧することと、
前記煎出飲料を受器に案内することと
を含む、請求項１８又は１９に記載のシステムを使用して飲料を調製する方法。